Podtech/llm-jp-corpus-v4-ja_patent huggingface dataset:
(57)【要約】      （修正有）【課題】直径が１４ｍｍ以上の太いロープの製綱工程構成を改良すると共に、ロープが堅く成る変化の抑制と物体の滑り止めを改良した単撚ロープを提供する。【解決手段】非常に甘く右撚りした集束体１により生産効率を倍増させ、更に混合集束体にして樹脂被覆することにより作業安全性も倍増させる。【選択図】図２
2019123977.tif 000002
【特許請求の範囲】
【請求項１】
原糸適数本、集束極甘右撚り１ｍ間Ｉ回〜２回の右撚りを入れた集束体（Ｉ）の構成。
【請求項２】
集束体（１）混合集束体（２）で製綱したロープ組紐の構成。
【請求項３】
極甘撚り右撚り集合体（Ｉ）混合集束体（２）で製綱の撚りバランス安定に樹脂付着乾燥  熱処理  高周波処理のロープ  組紐の撚り撚り安定処理。
【発明の詳細な説明】
【技術分野】
【０００１】                    繊維ロープに関する
【背景技術】
【０００２】繊維ロープの工程  機戒の省略に関する
【発明の概要】
【発明が解決しようとする課題】
【０００４】従来の繊維ロープは右撚り左撚りのヤーン、複合ヤーンと工程種類  機戒種類の多きを省略して尚１４ｍｍ以上太いロープ製綱工程構成の改良と、ロープが堅く成る変化の抑制と物体滑り止め構成の改良に関する
【課題を解決するための手段】
【０００５】０００４に説明の如く、従来のヤーン工程を省略、その代わりにポリエチレン（５連糸）等とポリプロピレン  ダンライン、タイプ糸等の無撚り原糸を投入してストランを製撚、ロープに製綱の撚りバランス安定を目的にロープ全体に樹脂付着乾燥しての１４ｍｍ以下細いロープに対して。
１６ミリ以上太いロープの製綱は従来の左撚りヤーン又は左撚り複合ヤーンの工程種類、機械種類を省略して生産効率向上を目的に、原糸適数本の集束体に１ｍ間に１回〜２回の右撚りを入れた極甘右撚り集合体（１）を１００％でストランを製撚時に芯に投入の集束体（Ｉ）等に適量の樹脂を付着してストランを製撚して撚りバランス安定ロープに、尚本案の集束体（Ｉ）の極甘撚り右撚りの効果はストランを右撚りに右撚り集束体（Ｉ）は撚り法則に合いませんが、本案は集束体（Ｉ）の１ｍ間にＩ回から２回の極甘右撚りの集束体（Ｉ）は極甘撚りの余裕が有りますからストラン右撚り回転する事に極甘撚り集束体（Ｉ）に自動自然に右撚りが追加される、この構成は１４ｍｍ以下細いロープ製綱にも適用して生産効率，経済効果の向上を果たす。
尚ポリエチレン糸１００％ロープは物体に滑り易く、危険性高く、使用時年々堅く硬化する作業性悪化の課題を有し解決手段に、ポリエチレン糸５０％に  滑り難く、使用時年々硬化し難いポリプロピン糸等５０％の二類の混合の集束体（２）１００％で製綱して滑り易い危険性と使用時年々硬化の作業性の悪化の課題を解決、尚樹脂付着して撚り安定ロープ。本案，単撚ロープの撚り安定案はロープに樹脂付着，熱処理  高周波処理も有効成り。
【発明の効果】
【０００６】従来のロープに比べ  本案は工程種類、機戒種類の省略で生産効率の倍増、経済効果作業性安全性の向上した製綱に撚りバランス得るために  樹脂付着に熱処理  高周波処理等の加工加えて撚りバランス安定した軽く、甘撚り（柔らかい）破断力  強化した作業性  安全性を得たロープ組紐である。
【図面の簡単な説明】
【０００７】
【図１】極甘撚り右撚り集束体の斜視図、
【図２】集束体で製撚のストランの斜視図、
【図３】ポリエチレン糸等ポリプロピレいあんｔン糸等と混合集束体の斜視図、
【発明を実施するための形態】
【０００８】本案  単撚ロープは従来のヤーン工程種類に機戒種類の省略で生産効率の倍増に安全性  経済性の向上、撚り回数少なく  甘打ち（柔らか打ち）ロープの撚り安定目的に樹脂付着して又は熱処理に高周波処理等の加工を加えて，撚り安定した甘打ち（柔らかうち）のロープに仕上げて物体滑り止めの実施で物体の滑り止め落下防止  安全性、作業性  生産性  経済性の向上。
【符号の説明】
【０００９】    （Ｉ）極甘撚り右撚り集束体、
（２）ポリエチレン糸等  ポリプロピレン糸等と混合集束体、
【図１】
2019123977.tif 000003
【図２】
2019123977.tif 000004
【図３】
2019123977.tif 000005
(57)【要約】      （修正有）【課題】キャベツを円滑にスライスが行える器具を提供する。【解決手段】湾曲して移動する筒６の外周の、中心点からより遠い位置に筒の全長にわたって縦長の溝を設け、この溝に沿って該溝の外側に位置して握り棒５が、内側に位置して押さえ板４とが接続され、握りながら近接した位置を保って押さえ板を上下に移動させ得るように構成したものである。【選択図】図２
2019123068.tif 000002
【特許請求の範囲】
【請求項１】
湾曲して移動する筒の外周の、中心点からより遠い位置に筒の全長にわたって縦長の溝を設け、この溝に沿って該溝の外側に位置して握り棒が、内側に位置して押さえ板とが接続され、握り棒を握りながら近接した位置を保って、押さえ板を上下に移動させ得るように構成したキャベツのスライス器の構造。
【発明の詳細な説明】
【技術分野】
【０００１】  本発明は、キャベツのスライスを効率的に行うための器具に関する。
【背景技術】
【０００２】  従来のキャベツのスライスに関しては、効率的に行えるものもあり、例えば特許第６１６３６３４号にあるように、スライスしようとするキャベツを収納する筒が円を描いて移動するものなどがある。しかし、キャベツを押さえ込む押し込み板と握り用円板との間にかなりの間隔があるために、円滑なスライスが行えない難点があった。
【発明の概用】
【発明が解決しようとする課題】
【０００３】  本発明は、このような問題点を解決しようとするものであり、押さえ板の直近に握り棒を設けて円滑なスライスの行える器具を提供しようとするものである。
【課題を解決しようとするための手段】
【０００４】  そして本発明は、上記の目的を達成するために、湾曲して移動する筒の外周の、中心点からより遠い位置に筒の全長にわたって縦長の溝を設け、この溝に沿って該溝の外側に位置して握り棒が、内側に位置して押さえ板とが接続され、握りながら近接した位置を保って押さえ板を上下に移動させ得るように構成したものである。
【発明の効果】
【０００５】  本発明のスライサーは、押さえ板の直近で終始握り棒で力を加えられるので安定したスライスが行える利点がある。
【図面の簡単な説明】
【０００６】
【図１】  従来のスライサーの立体図。
【図２】  本発明の器具の立体図。
【発明を実施するための形態】
【０００７】  以下、本発明の実施の形態を図１〜図２に基づいて説明する。
【０００８】  図１は、握り用円板１と押し込み板２との間にかなりの距離があることが示されている。
【０００８】  図２は、押さえ板３に握り棒４が近接して接続されていることが示されている。
【符号の説明】
【０００９】  １、従来のキャベツのスライサーの握り用円板
２、            〃              押し込み板
３、            〃              筒
４、本発明のキャベツのスライサーの押さえ板
５、            〃              握り棒
６、            〃              筒
【図１】
2019123068.tif 000003
【図２】
2019123068.tif 000004
(57)【要約】【課題】四角形の袋の隣接する２辺が閉じていてその対辺になる隣接する２辺が開放していることで、開口が大きく広がることが可能となり、被包装物を袋内に入れるときの纏わりつきや、貼りつき等を無くすことができ、包装が難しかった葉野菜のような広がりのある形状のものや、粘着性があり袋に貼りつくものなどを容易に包装できるようにした包装袋を提供する。【解決手段】四角形の袋の隣接する２辺が閉じていてその対辺になる隣接する２辺を開放させた形状を特徴とする。【選択図】図１
2019189346.tif 000002
【特許請求の範囲】
【請求項１】
隣接する２辺が折り返しや溶着等で閉じていて、その対辺になる隣接する２辺が開放している形状の包装用ポリ袋である。これにより、被包装物を閉じた２辺の隣接角を中心とした円錐状の袋部に収めて固定でき、開放した２辺が大きく広がり被包装物を包み込むが可能な包装袋。
【発明の詳細な説明】
【技術分野】
【０００１】
本発明は、２辺を開放したことで開口が大きく広がるポリ袋に関するものである。
【背景技術】
【０００２】
従来スーパーマーケット等で使用されているポリ袋は、四角形の三辺が溶着や折り返しにより閉じられ一辺だけが開放している。この開放した一辺を広げ開口させて被包装物を袋の中に入れて包装されている。
この一辺のみを開放したポリ袋では、被包装物の形状によっては袋が纏わりつき、袋の中に入れることが困難な欠点があった。
【先行技術文献】
【特許文献】
【０００３】
なし
【発明の概要】
【発明が解決しようとする課題】
【０００４】
解決しようとする問題点は、１辺が開放しているだけのポリ袋では開口が小さいため、レタス等の様な葉野菜等は、袋が纏わりついて中に入れ難いだけでなく無理に押し込むと葉が千切れてしまう。葉野菜以外の野菜等であっても、尖ったイボ、額、蔕に袋が引掛り、尖った先端で包装袋を切り裂いてしまい包装袋としての役目を損ねてしまう。また、被包装物が袋に貼りつきやすいシリコン素材等は、袋に貼りつく為、袋の中に入れることすら難しく無理に押し込むこととなり、それにより折れ曲がり状態になってしまうため折り癖がつき、使えなくなることもある。このような包装が困難な点である。
【課題を解決するための手段】
【０００５】
本発明は、隣接する２辺が閉じていてその対辺になる隣接する２辺が開放していることで、被包装物が固定でき開口を大きく広げることができるので容易に包装ができることを最も主要な特徴とする。
【発明の効果】
【０００６】
本発明の包装袋は、隣接した２辺が開放しているので開口を大きく広げることが可能となり被包装物への纏わりつきや貼りつきを防げ、閉じた２辺の挟む角を頂点とする円錐状の袋部に被包装物を収めることができるので被包装物が動き回ることなく固定でき、容易に包装できる利点がある。また、開口が大きく広がることにより被包装物を包み易くなったことで、従来の袋より小さいサイズでも包装が可能となった。
【図面の簡単な説明】
【０００７】
【図１】本発明の包装袋の形状図である。
【図２】本発明の包装実施方法を示した説明図である。（実施例１）
【図３】本発明の包装実施方法を示した説明図である。（実施例２）
【発明を実施するための形態】
【０００８】
収容物および包装袋を傷めることなく容易に包装する目的を、袋の隣接した２辺を開放することで開口を大きく広げることが可能になり実現した。
【実施例１】
【０００９】
図１は、本発明の包装袋の形状図であり、隣接した２辺を開放していることを表している。
【００１０】
図２は、本発明の包装袋の使用例になり、開放した２辺が大きく広がり閉じた２辺の隣接角を中心とした円錐状の袋部に被包装物を収めることができるので、球状の被包装物であっても固定でき、包み込むために袋の中に容易に入ることを表している。
【００１１】
図３は、図２で広げた２辺で被包装物を包み込み包装するために折り込んだ状態を表す。
【符号の説明】
【００１２】
１    被包装物
【図１】
2019189346.tif 000003
【図２】
2019189346.tif 000004
【図３】
2019189346.tif 000005
(57)【要約】【課題】  この発明は、ラップ箱に逆戻しの機能を付加させるとともに、壁面や冷蔵庫等引っ掛けて使用できるようにした。【解決手段】▲１▼ラップ箱の両端に手でつまんで動かせるつまみを用意し、それを箱の中の円筒状のものと接続させる。  つまみの材質はプラスティック状のものとし中の円筒状のものと接続し、円筒を固定させる。  これによって、つまみを回すと中の円筒が同じ方向で回ることになる。▲２▼ラップ箱全体を両端から２本のひもで吊り下げられるようにして、壁等に引っかけられるようにした。  なお、箱の上面はひもにかからないように、ひもを固定してあるところを避けて切り込みを入れた形状である。  ラップ箱の側面にぼたんをつけ上ふたを固定する。【選択図】図１
2019189347.tif 000002
【特許請求の範囲】
【請求項１】
ラップ箱両端にプラスティック状の円形の「つまみ」を有し、その「つまみ」が箱内部の円筒状のラップ巻きと接続して自由に回すことが出来るものとする。
【請求項２】
ラップ箱両端にひもをかけ、両端がひもでつながりフック等にかけられるようにする。なお、上面のふたは、ひもと交差しないように、横面に切り込みを入れる。
【請求項３】
ラップ箱上端のふたを安定させるため、両端側面にボタンを設置してラップを引き出したときにラップの上ふたがもちあがらないよう固定する。
【発明の詳細な説明】
【技術分野】
【０００１】  この発明は食品等の透明な包装に利用されるラップ箱に関するものである。
このラップ箱は従来ラップを出し過ぎた時もどすことが困難で、手動で戻してもラップがくしゃくしゃになり不便であった。
「この巻き戻し自由のラップ箱」は箱の外の両端に巻き戻し用の円形のつまみを設け、そのつまみと中の円筒と接続することにより、つまみによって中のラップ箱を自在に戻しもしくは進める構造に「した。【０００２】  この種のラップ箱は通常は手にとって使用するのがふつうであり、壁面等ににかけることは出来なかった。
ラップ箱の両端にひもをかけ固定してラップ箱を使用することを可能にした。
【発明の概要】
この発明は単純明快な発想に基づいている。ラップを一旦箱から引き出すと元に戻すせなくなる。中のラップを巻いている円筒様のものを手で少しずつ逆に巻いてもどすことになるがなかなかうまく戻せない。
しかも、ラップがしわくちゃになってしまう。そこで箱の両端につまみをつけ、それを中のラップの円筒状のものとリンクさせてスムースに巻き戻すことが出来る。
しかも、箱の両端にひもをつけることにより、台所の壁面等にかけることにより、手軽に簡単にラップを引き出し使用することができる。
【課題を解決するための方法】
【０００３】本発明に関わるラップ箱は、箱両端につまみを有し、中の円筒部分と接合して一体的に回転し、逆戻しを解決する。
【０００４】  本発明においては、ラップ箱を固定して使用することを可能にする。両端にひもを結び付けフック等にかけることを可能にする。
また、側面にボタンをつけ、上ふたを固定する。
【図面の簡単な説明】
【図１】  本発明に関わる全体像である。
【図２】  つまみと本体にあるラップの円筒状部分との接合部である。
【図３】  ラップ箱側面を表している。
【図１】
2019189347.tif 000003
【図２】
2019189347.tif 000004
【図３】
2019189347.tif 000005
(57)【要約】【課題】本案  単撚強化ロープは従来の右撚り小ヤーン３，４本を左撚りに複撚複合ヤーンの工程種類と機械種類の多々を省略と従来のロープのヤーン構成の改良でロープの磨耗に引っ張り破断力強化の課題。【解決手段】生産工程機戒種類の多々の省略で生産効率  経済効果を課題に極堅左撚りヤーン（１）に堅右撚りヤーン（２）をロープストランの表面に配列して磨耗強化、ロープストランの内側芯にロープの撚りバランス安定と引っ張り破断力強化目的課題に破断力強化に極甘右撚り左撚りの２種のヤーンにエステル又はナイロン糸等の混合ヤーン（３）又は（４）をロープストランの芯に適時適量に投入して撚りバランス安定と更に極甘撚り（通称ダラ打ち）ロープの場合や撚りバランス安定に芯ヤーンに樹脂付着してストラン芯に投入してロープの安定と引っ張り破断力強化と作業性の向上。【選択図】図２
2019189992.tif 000002
【特許請求の範囲】
【請求項１】
ロープ磨耗強化にロープ表面に配列の極堅左撚りヤーン（１）堅右撚りヤーン（２）配列構成。
【請求項２】
引っ張り破断力強化、ロープの撚りバランス安定の為、極甘左撚りエステル糸又はナイロン糸等混合ヤーン（３）と同じ混合右撚りヤーン（４）をロープストランの芯に投入した構成。
【発明の詳細な説明】
【技術分野】
【０００１】ポリエチレン  略（ＰＥ）ポリプロピレン  略（ＰＰ）等のロープ  ヤーンに関する、
【背景技術】
【０００２】従来からＰＥロープを始め化学繊維ロープは複合左撚りヤーンの集合で製綱が通常である、
【発明の概要】
【発明が解決しようとする課題】
【０００４】従来の複合ヤーンの機種工程多々を除き、単撚ヤーン（素撚りヤーン）の撚り回数を多く入れて極堅撚り叉は堅撚りヤーンにして磨耗強化、  ロープストランの芯に極甘左撚り右撚りヤーン共にエステル糸又はナイロン糸等の混合ヤーン  撚り回数を少なく極甘撚りヤーンをロープストランの芯に投入して引っ張り破断力強化と撚りバランスの安定。
【課題を解決するための手段】
【０００５】図１に図示の単撚ヤーン（素撚りヤーン）左撚りに撚り回数を極限まで入れた  極堅撚り左撚り又は堅撚りヤーン（Ｉ）堅撚り右撚りヤーン（２）を図示の如くロープストランの表面に（１）と（２）を交互に配列して磨耗強化、尚  引っ張り破断力強化と撚りバランス安定を目的に図示のロープストランの芯に極甘撚り左撚りエステル糸又はナイロン糸等の混合ヤーン（３）極甘撚り右撚りエステル糸又はナイロン糸等の混合ヤーン（４）以上の（３）（４）に混合のエステル糸又はナイロン糸の混合量はロープの用途に応じて適量として、（３）と（４）のヤーンの芯への投入割合は５０％５０％の半々としてロープの太さ、撚り具合に応じて適時適等に投入する、尚  図２に図示の極堅撚り又は堅撚り左撚りヤーン（１）をロープストランの表面に配列して磨耗強化、極甘撚り左撚りエステル糸又はナイロン糸等の混合ヤーン（３）を芯に投入して引っ張り破断力強化と撚りバランスの安定に必要時には芯ヤーン（４）に樹脂付着投入して撚りバランス安定と引っ張り破断力強化で、作業性向上。
【発明の効果】
【０００６】［０００４］と［０００５］に説明の如く複合ヤーンを単撚ヤーンに変え、機種工程の省略で経済面に生産効率向上、ロープの磨耗  引っ張り破断力強化実現で効果  大。
【図面の簡単な説明】
【０００７】
【図１】ロープストランの断面図  図示白丸印表面全部（（１）  表面黒丸印全部（（２）  芯の白丸印は（３）  黒丸印は（４）
【図２】ロープストランの断面図  図示表面の白丸印は全部（１）  芯は白丸印全部（３）
【発明を実施するための形態】
【０００８】本案使用効果は漁業操船  魚貝各養殖  錨綱等の磨耗  引っ張り破断力強化に作業性向上，
【符号の説明】
【０００９】（１）極堅左撚りヤーン    （２）堅右撚りヤーン
（３）極甘左撚りエステル糸又はナイロン糸等の混合ヤーン
（４）極甘右撚りエステル糸又はナイロン糸等の混合ヤーン
【図１】
2019189992.tif 000003
【図２】
2019189992.tif 000004
(57)【要約】【課題】  健康診断や医療機関での診療時に、乳頭および乳輪を覆い隠しつつも聴診や心電図検査が受けられるブラジャーを提供する。【解決手段】  本発明は、上半身を完全に露出せずに聴診や心電図検査が受けられるブラジャーであり、胸部誘導の電極装着部分をそれぞれ個別にカットした形状を特徴とする。さらに、乳頭や乳輪の露出防止のため粘着力があり、しかも心電図の波形に影響を与えない絶縁体により裏面は構成されている。【選択図】図１
2019189991.tif 000002
【特許請求の範囲】
【請求項１】
聴診や心電図検査の際、着衣のまま受診できる形状を有したブラジャー。
【請求項２】
ブラカップの皮膚に接する裏面には、皮膚に対する密着性が高く、しかも心電図の波形に影響を与えない素材の使用。
【発明の詳細な説明】
【技術分野】
【０００１】  この発明は、健康診断や医療機関での診療時に女性が着用するブラジャーに関するものである。
【背景技術】
【０００２】  従来、健康診断や医療機関で診療を受ける際には、上半身は裸になり、聴診や心電図検査を受けることが一般的であった。すなわち、脱衣が原則であった。
【先行技術文献】
【０００３】
【特許文献１】なし。
【非特許文献１】なし。
【発明の概要】
【発明が解決しようとする課題】
【０００４】  これには次のような欠点があった。
（イ）女性にとって乳房を完全露出することからくる精神的負担が大きかった。
（ロ）検査時、衣服の脱着のため、一定の時間を別途、確保する必要があった。
本発明は、以上のような欠点をなくするためになされたものである。
【課題を解決するための手段】
【０００５】  聴診器を用いた聴診および電極を用いた心電図検査では、前胸部から生体情報を得る必要がある。心電図検査は通常、Ｖ１−６の６か所に電極を直接皮膚に装着し、心臓から発せられる電気信号を受信する。
【表１】
2019189991.tif 000003
一方、女性が最も羞恥心を感じる乳輪、乳頭付近からは、上記の電極装着部は一定の距離があり、乳頭及び乳輪を覆いつつも心電図の電極を装着できることを発見した。その発見にもとづき、心電図の電極貼り付けが可能となる形状のブラジャーを発明した。右乳房のブラカップは内側をカット、左乳房のブラカップは内側と下内側、下側をカットすることにより、乳頭及び乳輪を覆いつつも心電図電極の貼り付けが可能である。本ブラジャーを装着した状態で心電図を測定しても、検査精度に影響が無いことを確認している。さらに、左右のブラカップの連結は、細径の弾性素材を用い、電極を貼り付ける際、邪魔にならないように設計した。
また、聴診時、通常の健康診断では乳頭や乳輪直上に聴診器を当てることは無いので、本ブラジャーを着用したまま、聴診を受けることができる。
本発明は、以上の構成よりなる診療時に着用可能なブラジャーである。
【発明の効果】
【０００６】  （イ）女性が健康診断を受ける際の羞恥心が低減する。
（ロ）あらかじめ本ブラジャーを着用しておけば、検診時の着替えに要する時間を短縮できる。
【図面の簡単な説明】
【０００７】
【図１】  本発明の正面図である。
【図２】  装着後の正面図である。
【発明を実施するための形態】
【０００８】  以下、本発明を実施するための最良の形態について説明する。
右乳房のブラカップ（１）は内側がカットされており、左乳房のブラカップ（２）は内側と下側がカットされている。頚部固定部分、背部固定部分を頭側から体幹部に移動させ、本ブラジャーを装着する。左右のブラカップは両者を繋ぐ弾性紐（３）で連結され、頚部（４）と背部（５）でそれぞれ、後頚部および胸壁に固定される。進展、収縮する弾性紐を用いることにより、左右のブラカップの位置を容易に移動させることができる。ブラカップを適宜移動し、乳輪、乳頭を覆いつつも電極装着部分が露出するように、ブラカップの位置を調整する。さらにブラカップの皮膚面は、心電図の波形に影響を与えない絶縁物質からなる粘着性の素材を使用しているため、乳輪や乳頭がブラジャーの隙間から露出するのを阻止できる。ブラカップの皮膚への圧着が安定している場合は、左右のブラカップを繋ぐ弾性紐（３）、背部固定部分は必須ではない。
聴診時は、通常、乳頭や乳輪直上に聴診器を当てることはないので、本ブラジャーを着用したまま、聴診を受けることが可能である。
本発明は、以上の構造よりなる診療時に着用可能なブラジャーである。
【符号の説明】
【０００９】１  右乳房のブラカップ
２  左乳房のブラカップ
３  左右のブラカップを繋ぐ弾性紐
４  頚部固定部分
５  背部固定部分
【図１】
2019189991.tif 000004
【図２】
2019189991.tif 000005
(57)【要約】      （修正有）【課題】従来、ワインの搾り粕や各種果物の搾り粕の一部は堆肥にしたり多少は家畜の餌にしていたが他にあまり使い道がなく、大部分産業廃棄物として廃棄処分していた。これらの搾り粕の利用方法を提供する。【解決手段】ワインの搾り粕を乾燥させてそのまま貯蔵しておき、利用するときにはそこから必要量を取り出して種を除去し残ったペースト状のものをミキサーにかけて微粉末化して其の状態で貯蔵または利用もできる。そのまま利用する場合には、多少水を加えて（うどんをつくる時のように）良く練り併せ、うどんの時のような丸い心棒を使って薄くしてから希望通りの線香の細さに切断して出来上がる事を特徴とした、ワインの絞り粕を利用した線香の作り方。【選択図】なし【特許請求の範囲】
【請求項１】
ワインの搾り粕を乾燥させてそのまま貯蔵しておき、利用するときにはそこから必要量を取り出して種を除去し残ったペースト状のものをミキサーにかけて微粉末化して其の状態で貯蔵たは利用もできる、そのまま利用する場合には多少水を加えて（うどんをつくる時のように）良く練り併せてうどんの時のような丸いの心棒を使って薄くしてから希望道理の線香の細さに切断して出来上がる事を特徴とした、ワインの絞り粕を利用した線香の作り方。
【発明の詳細な説明】
【技術分野】
【０００１】果物を通常の線香に利用されるのは香り成分としてある。
【背景】
【０００２】従来、ワインの搾り粕や各種果物の搾り粕の一部は堆肥にしたり多少は家畜の餌にしていたが他にあまり使い道がなく廃棄する事が大部分であった。
【発明の開示】
【発明が解決しようとする課題】
【０００３】  ここれには、次のような欠点があった。
（イ）ワインの搾り粕や各種果物の搾り粕はほうって置くとすぐ悪臭が出る為、その日のうちに廃棄するしかなかった。
（ロ）これらはシーズンになると膨大な量が廃棄されて居るが、公共機関の処理場もなく従って産業廃棄物として処分しているのが実情である。
（ハ）故に各ワインメーカーは多大の費用を掛けても廃棄処分せざるを得ない。
本考案は、これらの欠点を解消するためになされたものである。
【課題を解決する為の手段】
【０００４】産業廃棄物としていたワインや各種果物の搾り粕を一度冷凍保存しておき必要に応じて天日乾燥又は機械的電気乾燥して保管しておき、利用度に応じて粉末に仕上げる。搾り粕に含まれる種を取り除く場合は種の通過しない程の網（建築用の網の事）を通して種だけを取り除き残ったペースト状の部分だけを乾燥させた綺麗な微粉末だけを利用する尚、この段階で乾燥しているのでビニイールの袋にいれて保管もできる。
次に、線香などにする為の工程を説明する、
１、此のペースト状になったものをミキサーに掛けてさらに粒子を小さくして通常のうどんや、そばをこねる時の様によく練り合わせて、うどんや、そばを作る時と同様にねりあわせる、
２、次に練り上げたものを余り乾燥させない内に細く希望通りに細く切断してなるべく日陰ぼしにすれば従来になかった線香やお香が出来上がる。
尚この場合に切断するには鉄板のような堅いもの利用する。
３、以上で最良の線香が出来上がるがさらに臭を強くする場合にはそれぞれの香料を利用する事も出来る。
【図面の簡単な説明】
【０００５】
【図１】ワインの絞り粕を線香にするための略図
【図１】
2019189592.tif 000002
(57)【要約】【課題】  生ごみの水切りをする時に、しっかりと水切りのできる生ごみの水切り押圧盤を提供する。【解決手段】大きさ縦約１４ｃｍ、横約１８ｃｍ、厚さ約２〜３ｍｍの楕円形もしくはその類似形の押圧盤を設け、押圧盤の片面に取っ手を取り付け、使用時にはこちらが上面となることを特徴とする生ごみの水切り押圧盤。【選択図】図１
2019189450.tif 000002
【特許請求の範囲】
【請求項１】
大きさ、縦約１４ｃｍ、横約１８ｃｍ、厚さ約２ｍｍ〜３ｍｍの楕円形もしくはその類似形の押圧盤を設け、押圧盤の片面に取っ手を取り付け、使用時にはこちらが上面となることを特徴とする生ごみの水切り押圧盤。
【発明の詳細な説明】
【技術分野】
【０００１】  本発明は、生ごみの水切りをする時に、しっかりと水切りのできる生ごみの水切り押圧盤に関するものである。
【背景技術】
【０００２】  従来、生ごみの水切りをする時は、生ごみの入った水切りネットを手で絞ったり、ペットボトルの底を押し当てて生ごみの水切りをしていた。
【特許文献１】
【発明の開示】
【発明が解決しようとする課題】
【０００３】  そのために、次のような問題点があった。
（イ）手で生ごみの水切りをした時、魚の骨や爪楊枝等が手に刺さり、痛く、危ない思いをした。
（ロ）水切りネットに入った生ごみの水切りをペットボトルの底を上から押しあてる方法は、バランスが悪く、平均的に押すことができず十分な水切りができなかった。
（ハ）生ごみの水切りが不十分だと、水分が残り匂いが臭かった。
（ニ）生ごみの水切りが十分にできないと、ごみの減量化に役に立たない。
（ホ）生ごみはその８０％以上が水分といわれている。生ごみの水切りが不十分だと、ごみが重く、ごみを出す人、またごみ収集車で働く人たちの負担になる。
本発明は以上の問題点を解決しようとするものである。
【課題を解決するための手段】
【０００４】縦約１４ｃｍ、横約１８ｃｍ、厚さ約２〜３ｍｍの楕円形もしくはその類似形の大きさの押圧盤を設ける。押圧盤の片面に取っ手を取り付け、使用時にはこちらが上面となる。
以上を特徴とする生ごみの水切り押圧盤である。
【発明の効果】
【０００５】生ごみの水切りがしっかりとでき、ごみの減量化に役立つ。また、魚の骨等で手を傷つけることなくごみの処理ができ、流し台周りの汚れや匂いがなくなり、キッチン等が清潔になる。また、生ごみの水分が減ることで、生ごみが減量化され、ごみを出す人、ごみ収集車で働く人たちの負担が軽減される。
【発明を実施するための形態】
【０００６】以下、本発明の実施の形態を説明する。
（イ）縦約１４ｃｍ、横約１８ｃｍ、厚さ約２〜３ｍｍの楕円形もしくはその類似形のの大きさの押圧盤（１）を設ける。
（ロ）押圧盤（１）の片面に取っ手（２）を取り付け、使用時にはこちらが上面となる。
本発明は、以上の構成よりなっている。
本発明を使用するときは、生ごみ（３）の入った水切りネット（４）をシンク（６）の上に置き、その上に押圧盤（１）をのせ、押圧盤の取っ手（２）を持って下方へと押し、生ごみの水分を十分に切る。水分を切った生ごみが入った水切りネットは口を閉じて捨てる。
また、三角コーナーで使用する場合、三角コーナーの内径に相応する大きさの押圧盤は、フタとしても利用できる。なお、水切り押圧盤はいろいろな種類の水切り袋や水切りネット等に入った全ての生ごみの水切りとして使用できる。
【図面の簡単な説明】
【０００７】
【図１】本発明の斜視図
【図２】本発明の使用状態を示す斜視図
【符号の説明】
【０００８】１  押圧盤
２  取っ手
３  生ごみ
４  水切りネット
５  圧力
６  シンク
【図１】
2019189450.tif 000003
【図２】
2019189450.tif 000004
(57)【要約】【課題】  従来の傘立ては俗称折り畳み傘（以下，甲）と俗称長傘（以下，乙）を保管する際に開いた状態で保管不可能であったり，甲と乙の比率次第で使わない空間が生まれてしまったりすることが課題である。他にも甲の取り出し時に起立状態では難しいという課題もある。これらは設計段階で甲と乙の保管を別々に想定していただめである。【解決手段】  設計の段階において傘立てを区切るように壁を設置することで甲と乙を広げて保管しても触れないようにした。また，傘立て上部に甲を保管できるように床板を配置した。そして壁の高さを調整したうえで壁の一部に凹みを設けることで保管している甲と乙の向きと高さを一定以内にすることで取り出しをより簡単にした。【選択図】図１
2019084312.tif 000002
【特許請求の範囲】
【請求項１】
上下方向に貫通された複数の開口部を有する第一傘保管部と，
当該第一傘保管部と連結された第二傘保管部
を具備することを特徴とする傘立て。
【請求項２】
前記第一傘保管部は，
凹みを設けた第一傘支持部と側壁板と背壁板と中板によって構成された前記開口部と，
前記第一傘支持部と前記側壁板と前記背壁板と前記中板によって囲まれ前記開口部より下方に設置された底面板
を有することを特徴とした請求項１記載の傘立て。
【請求項３】
前記第二傘保管部は，
前記開口部よりも小さく，
前記開口部よりも下方かつ前記底面板よりも上方の位置に設置される
ことを特徴とした請求項１または２記載の傘立て。
【請求項４】
前記第一傘支持部は，上部に前記第二傘保管部と対称となるような位置に凹みを有する形状を特徴とした請求項２または３の傘立て。
【発明の詳細な説明】
【技術分野】
【０００１】  本発明は俗称が折り畳み傘（以下，甲），長傘（以下，乙）と呼ばれる２種類の傘を，開いた状態でも保管する仕組みを具備する折り畳み傘兼長傘傘立てに関するものである。
【背景技術】
【０００２】  従来の傘立てには，甲と乙を保管することを可能にしたものがある（例えば，特許文献１参照）。
【先行技術文献】
【０００３】
【特許文献１】特開２０１７−８６３４２
【発明の概要】
【０００４】  以上に述べた従来の傘立てでは，甲と乙を保管する本数を決めた上で設置しなければならないため，予想よりも甲か乙が多かった場合に，使われていない空間を作ってしまうという問題点があった。
【問題を解決するための手段】
【０００５】  そこで，本発明は上記課題を解決するため，甲を保管する部材と乙を保管する部材を同時に具備することで無駄な空間を排除した。
【発明の効果】
【０００６】  本発明は第一傘支持部によって，甲と乙の立てかける場所を固定し，傘を取り出しやすくするとともに傘同士がぶつからないように設計されている。
【図面の簡単な説明】
【０００７】
【図１】  本発明の正面かつ上面を表した等角投影図である。
【図２】  本発明の背面かつ底面部を表した等角投影図である。
【図３】  本発明の背面かつ上部を表した等角投影図である。
【図４】  上面を表した平面図である。
【発明を実施するための形態】
【０００８】  図１及び図３ないし図４に本発明に係る実施例を示す。図１において第一傘支持部と側壁板と背壁板とを連結し、第二傘支持部を背壁板及び側壁板ないし中板に連結して成立する。
【０００９】  第一傘支持部は上面に適当な窪みを設けなければならない。
【００１０】  図４において、第二傘支持部は第一傘支持部と背壁板と側壁板ないし中板を連結させた四角状の物の開口部を塞いではならない。
【符号の説明】
【００１１】  １  第１傘支持部
２  側壁板
３  背壁板
４  第２傘支持部
５  中板
６  底面板
【図１】
2019084312.tif 000003
【図２】
2019084312.tif 000004
【図３】
2019084312.tif 000005
【図４】
2019084312.tif 000006
(57)【要約】【課題】  両手指の運動を、素手でなく、また機械装置でもなく、全手動の回転盤式器具を用いて、出来るだけ複雑な運動の向上を通して、脳活性化を大いに促進する指回し運動器具を提供する。【解決手段】  彎曲状ベース板の左右面に左右対称的位置に設けられた回転盤と、各回転盤の縁際の一箇所に指孔ソケットを設けてあり、指孔ソケットは回転盤の縁に沿って自由にスライド移動することができ、左右も関係なく、互いに他の指孔ソケットとは独立的に動く庫田が出来ることを特徴とする脳活性化指回し運動器具。【選択図】図３
2019084319.tif 000002
【特許請求の範囲】
【請求項１】
手の５本の指先を軽く内側に曲げて指先が自然に接地した接地点を結んだ湾曲線を中心に、その周囲を指頭の太さの数倍幅で象った様な湾曲状ベース板を、厚み面を正面にして見た場合において、
指頭の接地点に相当する５か所で、左右に貫通した軸孔に設けられた止軸の左右端に、即ちベース板を挟む左右両側に、止軸と固定的に結合されて、ベース板面との間に僅かな隙間が形成された形で、軸回転する回転盤を設けてあり、
各々の回転盤の縁際の一箇所に、回転盤の縁厚面を跨いで左右両面、即ちベース板面に対向する面とその反対側の外側面、を軽く挟む形で装着され、外側面に直交的方向に、指頭が隠れる程度の深さで、筒壁状に立ち上がっている凹みを成して指孔ソケットが設けてあり、
各指孔ソケットは他の指孔ソケットとは相互独立的に、回転盤の縁に沿って自由にスライド移動が出来る、
ということを特徴とする脳活性化指回し運動器具。
【発明の詳細な説明】
【技術分野】
【０００１】  本発明は、回転盤を自由闊達な指回しで動かすことを通じて、脳活性化を図らんとする指運動器具である。
【背景技術】
【０００２】  従来、左右各５本の指先を合わせ、１指、２指、３指、４指、５指と指先を離していって、互いに触れないように旋回運動をするやり方が広く行われていた。指先を入れて固定し、モーターで回転させる指運動器具も知られている（特許文献１参照）。
【先行技術文献】
【特許文献】
【０００３】
【特許文献１】特開２００６−０８７４６８号公報
【発明の概要】
【発明が解決しようとする課題】
【０００４】  従来広く行われていた、左右の指先を触れないように対向指の周りを旋回させるやり方は、ある程度上達できるが、複数の指を同時に回転あるいは逆回転させるなどは、何とも手応え感がなく、どのくらい上達してるのやら、してないのやら、達成感に乏しい。
又、特許文献１に示される先行技術は、結果的に指は規則的に回転運動をするが、脳から発して神経刺激による意思的運動でなく、受け身でモーターによって回されているにすぎず、脳活性化の向上という面から見れば、効果半減に見える。
本発明は、以上の様な問題点を解決するために為されたものである。
【課題を解決するための手段】
【０００５】  手の５本の指先を軽く内側に曲げて指先が自然に接地した接地点を結んだ湾曲線を中心に、その周囲を指頭の太さの数倍幅で象った様な湾曲状ベース板を、厚み面を正面にして見た場合において、
指頭の接地点に相当する５か所で、左右に貫通した軸孔に設けられた止軸の左右端に、即ちベース板を挟む左右両側に、止軸と固定的に結合されて、ベース板面との間に僅かな隙間が形成された形で、軸回転する回転盤を設けてあり、
各々の回転盤の縁際の一箇所に、回転盤の縁厚面を跨いで左右両面、即ちベース板面に対向する面とその反対側の外側面、を軽く挟む形で装着され、外側面に直交的方向に、指頭が隠れる程度の深さで、筒壁状に立ち上がっている凹みを成して指孔ソケットが設けてあり、
各指孔ソケットは他の指孔ソケットとは相互独立的に、回転盤の縁に沿って自由にスライド移動が出来る。
斯くして、左右各５個の指孔ソケットに指頭を差し込んで、左右の指が協働しながら回転盤を回したり、各指が自分の属する回転盤において他の指とは独立的に自由に周回したりして、指先の運動神経を自由闊達に刺激することが出来る。
以上を特徴とする脳活性化指旋回運動器具である。
【発明の効果】
【０００６】（イ）  「器具」を用いることによって、器具操作の上達という実感的な形で運動能力の向上を確かめることが出来る。
（ロ）  また、「器具」と言っても全手動式なので、受け身ではなく、自己意思によって、どんな運動を、どんなテンポで、あるいは左右同時に同じ動作、相互逆の動作、それらの様々の組み合わせによる複雑な運動の訓練を積み重ねていくことができるので、達成感を得られるに至った「上達」は、脳神経活動の活性化の賜物でもあることが自ずと確かめられる。
（ハ）  機械装置ではなく、せいぜい両掌に収まる程度のコンパクトで軽量な製品なので、外出や旅行に携帯するのにも便利である。
【図面の簡単な説明】
【０００７】
【図１】  本発明の右側面図
【図２】  図１に示される本発明の指孔ソケット部分の位置を逆対称位置にして使用している状態を示す左側面図
【図３】  本発明の斜視図
【図４】  本発明の一部である指孔ソケットの装着状態を分かり易く示した部分断面図
【発明を実施するための形態】
【０００８】  以下、本発明の実施の形態を説明する。
手の５本の指先を軽く内側に曲げて指先が自然に接地した接地点を結んだ湾曲線を中心に、その周囲を指頭の太さの数倍幅で象った様な湾曲状ベース板（１）を、厚み面を正面にして見た場合において、指頭の接地点に相当する５か所で、左右に貫通した軸孔に設けられた止軸（４）の左右端に、即ちベース板（１）を挟む左右両側に、止軸（４）と固定的に結合されて、ベース板（１）面との間に僅かな隙間が形成された形で、軸回転する回転盤（２）を設けてあり、各々の回転盤（２）の縁際の一箇所に、回転盤（２）の縁厚面を跨いで左右両面、即ちベース板（１）面に対向する面とその反対側の外側面、を軽く挟む形で装着され、外側面に直交的方向に、指頭が隠れる程度の深さで、筒壁状に立ち上がっている凹みを成して指孔ソケット（３）が設けてあり、各指孔ソケット（３）は他の指孔ソケット（３）とは相互独立的に、回転盤（２）の縁に沿って自由にスライド移動が出来る。
本発明は、以上の様な構成であり、以下その具体的な使用方法を説明する。
本発明を使用する時は、左右の各々５つの指孔ソケット（３）に両手の指頭を差し込み当てて両掌で挟み持つようにして保持し、左右の指が協働しながら回転盤（２）を回したり、各指が自分の属する回転盤（２）において他の指とは独立的に自由に周回したりして、指先の運動神経を自由闊達に刺激することが出来る。左右の回転盤（２）における指孔ソケット（３）の位置が左右逆対称に在る時、回転盤（２）を回すために必要な指孔ソケット（３）に係る指の力は最も軽くなるので、通常は、各回転盤（２）における指孔ソケット（３）の位置は、図１と図２に示されている形で、全て同様に左右逆対称に在ることが好ましい。
【符号の説明】
【０００９】１  ベース板
２  回転盤
３  指孔ソケット
４  止軸
【図１】
2019084319.tif 000003
【図２】
2019084319.tif 000004
【図３】
2019084319.tif 000005
【図４】
2019084319.tif 000006
(57)【要約】【課題】［００１２］第４級アンモニウム塩または、ペルオキソー硫酸水素カリウムを含む薬剤（主に除菌剤）の性能を低下させない生地を提供する【解決手段】［００１３］第４級アンモニウム塩または、ペルオキソー硫酸水素カリウムを含む薬剤（主に除菌剤）の性能を低下させない生地で、ポリエステル、ポリプロピレンを８０％以上含んだ原料で、スパンレース製法でつくられた拭取り用の布【特許請求の範囲】
【請求項１】
スパンレース製法でつくったポリエステルあるいは、ポリプロピレンを８０％以上使用した不織布を、拭き取り用に使用することを特徴とする拭取り布
【請求項２】
第４級アンモニウム塩または、ペルオキソー硫酸水素カリウムを含む薬剤の性能を低下させにくくする拭取り布
【発明の詳細な説明】
【技術分野】
【０００１】薬剤の性能の低下を防ぐ不織布の拭取り用布に関する。
【背景技術】
【０００２】現状の不織布の拭取り布は、そのほとんどが、生地にレーヨンを含み、第４級アンモニウム塩または、ペルオキソー硫酸水素カリウムを含む薬剤（主に除菌剤）の性能を低下させている。
【発明の概要】
【発明が解決しようとする課題】
【０００３】第４級アンモニウム塩または、ペルオキソー硫酸水素カリウムの性能の低下を防ぐ不織布の拭取り布。
【課題を解決するための手段】
【０００４】スパンレース製法でつくられたポリエステル、ポリプロピレンを主成分として、第４級アンモニウム塩または、ペルオキソー硫酸水素カリウムの性能を低下させない不織布の拭取り用の布
【発明の効果】
【０００５】薬剤の性能を低下させないことで、除菌効果が上がり、そのため、感染の発生率が減少できると考えられる。
【発明を実施するための形態】
【０００７】現在、日本国内で、流通している不織布の拭取り布は、ポリエステル３０％・レーヨン７０％配合だったりして、主にレーヨンが５０％以上含まれるものが多く、第４級アンモニウム塩または、ペルオキソー硫酸水素カリウムを含む薬剤（主に除菌剤）の効果を低下させている。
【０００８】不織布の拭取り布に、第４級アンモニウム塩または、ペルオキソー硫酸水素カリウムの除菌剤を１週間含ませたのち、大腸菌テストをすると、レーヨン５０％配合の拭き取り布では、その性能が、約３０％低下したが、レーヨンの配合をやめて、ポリエステル１００％の拭取り布では、性能の低下は、ほとんど、見られなかった。
【０００９】さらに、ポリエステルやポリプロピレンが８０％以上でつくられた不織布としては、スパンボンド製法によるものしか、日本では流通されておらず、  スパンボンド製法による不織布は、拭き取り布としては、硬くて、非常に使いにくいものとなるため、現場では、受入れられていない状況である。
【００１０】しかし、ポリエステルやポリプロピレンであっても、スパンレース法で不織布を製造した場合、柔らかいものとなり、不織布の拭取り布の生地としても、現場で使えるものとなった。
【００１１】今回の発明は、スパンボンド製法のものしかなかったポリエステルやポリプロピレンの原料を８０％以上使い、スパンレース製法で不織布の拭取り布をつくったことで、第４級アンモニウム塩または、ペルオキソー硫酸水素カリウムを含む除菌剤の性能の低下を防ぎ、かつ、柔らかいため、拭き取り布の生地としても、使用現場で受け入れられるものとなった。
(57)【要約】【課題】本発明は、布団に平臥している病人が、介護者なしに布団から起き上がることが出来る、起き上がり補助装置で、家庭での使用が可能な簡便なものを提供することである。【解決手段】本発明に係る起き上がり補助装置は、敷き布団の下に敷き込む板と、その板の両端の位置に立設させて固定した一対の把持パイプと、その把持パイプに相対させた位置にあって、底板にヒンジ部で可倒可能なように枢支された一対のハンドル棒と、そのハンドル棒のヒンジ部に具設されたラチェット歯車と、そのハンドル棒に着設されたラチェット爪と、そのハンドル棒とリンク板を介してヒンジ部で枢支された一対の起倒補助棒とその一対の起倒補助棒の間に内設された背板と、その起倒補助棒が可倒可能なように底板に配設された起倒補助棒のヒンジ部とを備える。【選択図】図１
2019084321.tif 000002
【特許請求の範囲】
【請求項１】
敷き布団の下に敷き込む板（以下、単に「底板」という）と、
その底板の両端の位置に立設させて固定した一対の把持パイプと、
その把持パイプに相対させた位置にあって、底板にヒンジ部で可倒可能なように枢支された一対のハンドル棒と、
そのハンドル棒のヒンジ部に具設されたラチェット歯車と
そのハンドル棒に着設されたラチェット爪と、
そのハンドル棒とリンク板を介してヒンジ部で枢支された一対の起倒補助棒と
その一対の起倒補助棒の間に内設された背板と、
底板から立設して、起倒補助棒が可倒可能なように配設された起倒補助棒のヒンジ固定部を備えたことを特徴とする起き上がり補助装置。
【発明の詳細な説明】
【技術分野】
【０００１】  本発明は、病人、身障者等、布団やベッドから自力で起き上がることが容易ではない人（以下単に「病人」という）が、自力で起き上がるのを補助するための、起き上がり補助装置に関する。
【背景技術】
【０００２】  病人がベッドから起きあがるのを補助するための装置としては、起倒可能な構造としたマットを電動で起倒する電動ベッドがあるが、家庭で使用するには専有面積が大きいし、高価である。そのため、もっと簡便なものとして、次項以下で説明する特許文献１、特許文献２などがある。【０００３】  特許文献１は、病人の平臥している布団上に敷設された背もたれ板の端にワイヤーを付け、ベッドのヘッドボード状に立設されたフレームの上に設けられた手動の巻き上げ装置でワイヤーを引き、それで背もたれ板を引き起こすものである。しかし、巻き上げ装置のハンドル操作は病人自身では行えず、介護者が必要になる点が問題点である。【０００４】  特許文献２は、背もたれ板の起床回転自在軸に連結されたウォーム減速装置により、起床回転角度を操作して背もたれ板を引き起こすものである。しかし、病人が敷き布団上に平臥している状態では、ウォーム減速機に具設されたハンドルを回すのは困難であり、その操作に介護者が必要になる点が問題点である。また、家庭での敷き布団で使用するには装置が大きいのも問題点である。
【先行技術文献】
【特許文献】
【０００５】
【特許文献１】特開平８−２４０８６号公報
【特許文献２】特開平１０−５７１９３号公報
【発明の概要】
【発明が解決しようとする課題】
【０００６】  本発明は以上の如き状況に鑑みてなされたものであり、その解決しようとする課題は、家庭の敷き布団での使用が可能な簡便なもので、筋力が衰えた病人でも、介護者なしに起き上がることが出来る、起き上がり補助装置を提供することである。
【課題を解決するための手段】
【０００７】  本発明の解決しようとする課題は以上の如くであり、次にこの課題を解決するための手段を説明する。【０００８】  即ち、
敷き布団の下に敷き込む板（以下、単に「底板」という）と、
その底板の両端の位置に立設させて固定した一対の把持パイプと、
その把持パイプに相対させた位置にあって、底板にヒンジ部で可倒可能なように枢支された一対のハンドル棒と、
そのハンドル棒のヒンジ部に具設されたラチェット歯車と
そのハンドル棒に着設されたラチェット爪と、
そのハンドル棒とリンク板を介してヒンジ部で枢支された一対の起倒補助棒と
その一対の起倒補助棒の間に内設された背板と、
底板から立設して、起倒補助棒が可倒可能なように配設された起倒補助棒のヒンジ固定部とで、構成している。
【発明の効果】
【０００９】  本発明により、家庭の敷き布団での使用が可能な簡便なもので、筋力が衰えた病人でも、介護者なしに起き上がることが出来る、起き上がり補助装置を提供することが出来る。
【図面の簡単な説明】
【００１０】
【図１】装置の正面図
【図２】正面図に示された断面Ａの断面図
【図３】装置の平面図
【図４】装置の左側面図
【図５】使用説明図
【発明を実施するための形態】
【００１１】  図１に示すように、装置はすべて敷き布団の下に敷き込む底板１に立設されている。
把持パイプ４は底板１に固定されたパイプであり、その把持パイプ４に相対させた位置にハンドル棒５があり、それは、底板にヒンジ板３とヒンジ軸２３で枢支されて回転自在に作動するようになっている。そのハンドル棒５の途中には枢支されたリンク板８があり、これは、ヒンジ板２とヒンジ軸２４で枢支された起倒補助棒６の先端に枢支されている。
【００１２】  図１でハンドル棒５を矢印Ｂのように回転させると、リンク板８を介してその動きが起倒補助棒６に伝わり、起倒補助棒６は矢印Ｃのようにハンドル軸５とは逆回転で扇運動をする。
【００１３】  上記で示した装置は、図２や図３で示されているように、底板の両端に対象に配設される。すなわち一対で構成される。その中の一対の起倒補助棒６の間には背板７が内設されていて、一対のハンドル棒５を矢印Ｂのように回転させると、起倒補助棒６と同じように、背板７も矢印Ｃのように扇運動をする。
【実施例】
【００１４】  図５は実施例であって、（ａ）は病人が平臥している状態である。上記で示したように、装置は底板の両端に対象に配設されているので、平臥している病人の体の左右両側に配設されている。【００１５】  この状態で病人は体の両側にあるハンドル棒５を握り、矢印Ｄのように扇形に引き寄せる。すると、病人の背中に位置する背板７が矢印Ｅのように引き上げられ、それによって病人は引き起こされ、（ｂ）の状態になる。その後、病人は把持パイプ４を握って（ｃ）の状態まで体を引き上げる。【００１６】  図５の（ａ）の状態からハンドル棒５を矢印Ｄのように引き寄せる時に、ハンドル棒５を枢支するヒンジ軸２３に具設されたラチェット歯車９と、ハンドル棒５に着設されたラチェット爪１０により、（ａ）から（ｂ）の途中段階で一時的に停止させることが出来る。すなわち、ラチェット歯車の一ピッチ毎に少しずつ引き上げていくことが出来るので、筋力が少し弱った病人も、時間を掛けて少しずつ体を引き上げていくことが出来る。
【符号の説明】
【００１７】１  底板
２  ヒンジ板ａ
３  ヒンジ板ｂ
４  把持パイプ
５  ハンドル棒
６  起倒補助棒
７  背板
８  リンク板
９  ラチェット歯車
１０  ラチェット爪
２１〜２５  ヒンジ軸
【図１】
2019084321.tif 000003
【図２】
2019084321.tif 000004
【図３】
2019084321.tif 000005
【図４】
2019084321.tif 000006
【図５】
2019084321.tif 000007